(57)【要約】【課題】クッション材を使用せずに、クッションによる商品の保護機能と固定機能を持たせ、寸法の異なる複数個の商品を１個の個包装箱に収容できることを目的とする。【解決手段】一枚の板紙で、４個の側面パネルよりなる四角筒体と、四角筒体内に延伸させて商品を保持する構造物を作製してなる個包装箱であって、商品を保持する構造物は四角筒体の一側面パネルの中間部を起点として対向する側面パネルの角隅に至る中仕切りパネルと、中仕切りパネルに連なり対向する側面パネルの中間部に至る連結パネルと、連結パネルに連なり、前記中仕切りパネルに対向して配置され、前記中仕切りパネルより短くし、先端は自由端である自由端パネルとよりなる個包装箱とした。【選択図】　図４
2004131125.tif 000002
【特許請求の範囲】
【請求項１】
一枚の板紙で、４個の側面パネルよりなる四角筒体と、四角筒体内に延伸させて商品を保持する構造物を作製してなる個包装箱であって、商品を保持する構造物は四角筒体の一側面パネルの中間部を起点として対向する側面パネルの角隅に至る中仕切りパネルと、中仕切りパネルに連なり対向する側面パネルの中間部に至る連結パネルと、連結パネルに連なり、前記中仕切りパネルに対向して配置され、前記中仕切りパネルより短くし、先端は自由端である自由端パネルとよりなる個包装箱。
【発明の詳細な説明】
【０００１】
【発明の属する技術分野】
本発明は、個包装箱に関し、特に大きさの異なる複数個の商品を収容できる個包装箱、例えば、口径と高さの異なる瓶、ガラス器など壊れやすい商品をクッションによる商品を保護する機能と共に、固定機能を合わせ持った個包装箱についてである。
【０００２】
【従来の技術】
瓶やガラス容器などの商品の包装は、図９に示すように、片面ダンボールの素材を用いた個包装箱１０１に、クッション材としての発泡材１０２で商品１０３を包み収容している。商品の寸法が異なると、商品の寸法ごとに合わせた個包装箱が使用されている。このように商品の寸法ごとに合わせた個包装箱を使用すると、多数個の個包装箱が必要となる。個包装箱の種類が多くなると管理が大変になり、コストアップともなる。
【０００３】
個包装箱の共通化を図ろうとして余分にクッション材を使うと、商品のがたつきが発生し、箱を手に取った時に音が発生したり、あるいは破瓶の原因となり、また、クッション材を処分する時に廃棄物の問題がある。
【０００４】
【発明を解決しようとする課題】
隙間を多めのクッション材で埋めて個包装箱の共通化を図ることは、商品のがたつきや音の発生、破瓶や廃棄物の問題が生じたりして、クッション材を多めに使用することは商品のイメージの低下やゴミ処理の問題がある。
【０００５】
【課題を解決するための手段】
そこで、本発明は上記の事情に鑑み、クッション材を使用せずにクッションによる商品の保護機能と固定機能を持たせ、寸法の異なる複数個の商品を１個の個包装箱に収容できるようにすべく、一枚の板紙で、４個の側面パネルよりなる四角筒体と、四角筒体内に延伸させて商品を保持する構造物を作製してなる個包装箱であって、商品を保持する構造物は四角筒体の一側面パネルの中間部を起点として対向する側面パネルの角隅に至る中仕切りパネルと、中仕切りパネルに連なり対向する側面パネルの中間部に至る連結パネルと、連結パネルに連なり、前記中仕切りパネルに対向して配置され、前記中仕切りパネルより短くし、先端は自由端である自由端パネルとよりなる個包装箱とした。
【０００６】
【発明の実施の態様】
本発明を添付する図面に基づいて、以下詳細に説明する。
【０００７】
本発明は、個包装箱の中に入る商品（内容物）のばらつきに対応し、さらに商品の保護機能と固定機能を持たせ、且つサック貼りの加工が自動的に機械貼りできる構造にした。
【０００８】
商品の寸法のばらつきに対応する構造としては、板紙の持つばね機能（反発機能）を活かした構造物を箱の中に設けるようにした。その構造物によって商品のがたつきを防ぐクッション効果を有する。本発明では、より効果的にするために、商品が個包装箱の中央にくるようにし、さらに箱の貼りに対する問題点も克服した。
【０００９】
従来の個包装箱では、中に入れる構造物を別に組立て、商品と共に個包装箱に入れて、商品の保護機能と固定機能を持たせるものが多い。本発明は、箱と一体にし、強度と安定度を増すように貼りの部分を設けた。
【００１０】
図１は個包装箱の横断面図で、４個の外壁１内に２個の弧状片２を対向させて対角状に配置しておき、図２に示すように円筒状の商品３を収容すると、弧状片２のしなり方が片寄り、商品３が片側に押し付けられる傾向によりＡ箇所で外壁と接し、クッション効果が十分に発揮させられない。クッション効果を十分に発揮させるためには商品３は中央にくるようにせねばならない。
【００１１】
図１、図２に示すように、ばね機能を有する２個の弧状片２を左右対称に配置して商品３を把持させようとするが、本発明は、外箱の一部を延伸し、２個の中仕切りパネル４・自由端パネル５で商品３を把持させ、箱の中央に固定させるものである。
【００１２】
箱のサック貼りの糊代が箱の外側に出るとグラフィックデザインの障害となる。
【００１３】
図５に、本発明の具体的一実施例の展開図を示す。
【００１４】
本発明の個包装箱の素材は、板紙、厚紙、樹脂板、その他の薄板材を使用することができるが、板紙が最も好ましい。
【００１５】
概略長方形状で、同じ大きさの長方形状の側面パネル６、側面パネル７、側面パネル８、側面パネル９をそれぞれ折り曲げ線１０・１１・１２・１３を介して連ねる。
【００１６】
側面パネル９の左辺の折り曲げ線１３に側面パネル９の半分までの幅の長方形の糊付けパネル１４を連ねる。
【００１７】
糊付けパネル１４の左辺のミシン目の折り曲げ線１５に、図３に示す斜辺の幅で長方形の中仕切りパネル４を連ねる。
【００１８】
中仕切りパネル４の左辺の折り曲げ線１６に前記糊付けパネル１４と同一形状の連結パネル１７を連ねる。
【００１９】
連結パネル１７の左辺のミシン目の折り曲げ線１８には前記中仕切りパネル１４より狭幅の長方形状の自由端パネル５を連ねる。
【００２０】
側面パネル６、７、８、９および糊付けパネル１４の下辺のそれぞれの折り曲げ線１９・２０・２１・２２・２３に差し込みパネル２４、フラップ２５、地パネル２６、フラップ２７、地パネル２８を連ねる。
【００２１】
側面パネル６、７、８、９および中仕切りパネル４の上辺のそれぞれの折り曲げ線２９、３０、折り畳み線３１、折り曲げ線３２、３３に天パネル３４、フラップ３５、補強パネル３６、フラップ３７、押えパネル３８を連ねる。
【００２２】
天パネル３４の上辺の折り曲げ線３９には差し込み片４０を連ね、折り曲げ線３９には差し込み片４０を連ね、折り曲げ線３９の両端には切れ込み４１を刻設する。
【００２３】
フラップ３５の左辺基端と、フラップ３７の右辺基端にはそれぞれ突起４２、４３を突設する。
【００２４】
この個包装箱の組立てについて述べる。
【００２５】
図６、７により地について、図８より天について説明する。
【００２６】
図６に示すように、側面パネル６、７、８、９を四角筒状に折り曲げ、糊付けパネル１４外面と側面パネル６外面を糊付け接着する。
【００２７】
この図においては、図の理解を容易にするために、フラップ２５と地パネル２６とは省略してある。
【００２８】
次に、図７に示すように、地パネル２８で地の開口を塞ぎ、フラップ２５、２６を折り畳む。
【００２９】
天の組立ては、図８に示すように、まず、補強パネル３６を内側に折り畳む。中仕切りパネル４と自由端パネル５との間に商品を把持させ、押えパネル３８を下方へ折り曲げ、フラップ３５、３７で天の開口を塞ぎ、天パネル３４を折り畳み、差し込みパネル４０を補強パネル３６との間に差し込む。
【００３０】
本発明は、側面パネル９から側面パネル９の幅の半分までの幅の糊付けパネル１４を延伸させる。図３のＢ点が内部の構造物の起点となり、起点Ｂから側面パネル７と側面パネル８との角隅に至る中仕切りパネル４を設け、この中仕切りパネル４から側面パネル８の幅の半分に至るまでの幅とした連結パネル１７を設け、連結パネル８には前記中仕切りパネル４より狭幅の自由端パネル５を連ねる。前記糊付けパネル１４と連結パネル１７、中仕切りパネル４と自由端パネル５とをそれぞれ対向するようにして折り曲げとパネ機能を持たせる。
【００３１】
図４に示すように、商品３を中仕切りパネル４、５間で把持させると、図５に示すようになり、構造物の延伸の起点を箱の側面パネル６の中間点にすることによって、商品３が箱の中心に位置するようになり、クッション機能を発揮し、十分な保護機能、固定機能を果たす。商品３は外からの衝撃から守られ、板紙の反発力で固定され、隙間があってもがたつき音の発生が押えられる。
【００３２】
さらに、本発明では押えパネル３８により中仕切りパネル４、自由端パネル５間に把持された商品３を押さえることができるので、より安定的に保持できる。押さえパネル３８の折り曲げ線３３の中央部にはカット部４６が刻設してあって、商品上部を係合させる。
【００３３】
さらにまた、本発明では、例えば１液と２液の入った大きさの異なるそれぞれの容器をバネ機能を有する中仕切りパネル４５間に把持させることができる。
【００３４】
【発明の効果】
本発明は、一枚の板紙で、４個の側面パネルよりなる四角筒体と、四角筒体内に延伸させて商品を保持する構造物を作製してなる個包装箱であって、商品を保持する構造物は四角筒体の一側面パネルの中間部を起点として対向する側面パネルの角隅に至る中仕切りパネルと、中仕切りパネルに連なり対向する側面パネルの中間部に至る連結パネルと、連結パネルに連なり、前記中仕切りパネルに対向して配置され、前記中仕切りパネルより短くし、先端は自由端である自由端パネルとよりなる個包装箱であるので、クッション材を使用せずに、クッションによる商品の保護機能と固定機能を持たせ、寸法の異なる複数個の商品を１個の個包装箱に収容できるようにした。
【００３５】
また、本発明は寸法の異なる商品に対応できるので、個包装箱を商品のサイズに合わせて用意しなくてよい。このことは、輸送費の削減、保管スペースの減少、管理費のコストダウンが図れる。
【００３６】
さらに、本発明は、個包装箱が段ボールから板紙になり、印刷の選択幅が向上する。
【図面の簡単な説明】
【図１】個包装箱の横断面図である。
【図２】図１の個包装箱に商品を収容した状態の横断面図である。
【図３】本発明の具体的一実施例の横断面図である。
【図４】図３の個包装箱に商品を収容した状態の横断面図である。
【図５】本発明の具体的一実施例の個包装箱の展開図である。
【図６】本発明の個包装箱の地の組立て始めの状態の斜視図である。
【図７】本発明の個包装箱の地の組立ての中間状態の斜視図である。
【図８】本発明の個包装箱の天の組立て状態の斜視図である。
【図９】従来の個包装箱に商品を収容した状態の斜視図である。
【符号の説明】
６・７・８・９…側面パネル
４…中仕切りパネル
１７…連結パネル
５…自由端パネル
【図１】
2004131125.tif 000003
【図２】
2004131125.tif 000004
【図３】
2004131125.tif 000005
【図４】
2004131125.tif 000006
【図５】
2004131125.tif 000007
【図６】
2004131125.tif 000008
【図７】
2004131125.tif 000009
【図８】
2004131125.tif 000010
【図９】
2004131125.tif 000011